(57)【要約】【課題】側面の突出体を避けて、被梱包体の側面に上手く緩衝部材を宛うことができ、また、梱包された被梱包体を持ち上げる場合の取っ手を梱包部材に効率よく設けることができる梱包装置を提供する。【解決手段】側面に突出体４４を備えた被梱包体２２を段ボール製の梱包部材によって梱包した梱包装置において、梱包部材１０３には、突出体４４の下面にほぼ接するように、被梱包体２２側に折り曲げられる折り曲げ片体１０３Ｆが形成され、この折り曲げ片体１０３Ｆの上辺１０３Ｇがヒンジ連結されており、この折り曲げ片体１０３Ｆが、被梱包体２２側に折り曲げられた折り曲げ位置Ｘと、折り曲げる以前の復元位置Ｙとの間で変位自在に構成されている。【選択図】      図３
2004161361.tif 000002
【特許請求の範囲】
【請求項１】
側面に突出体を備えた被梱包体を段ボール製の梱包部材によって梱包した梱包装置において、前記梱包部材には、突出体の下面にほぼ接するように、被梱包体側に折り曲げられる折り曲げ片体が形成され、この折り曲げ片体の上辺がヒンジ連結されており、この折り曲げ片体が、被梱包体側に折り曲げられた折り曲げ位置と、折り曲げる以前の復元位置との間で変位自在に構成されていることを特徴とする梱包装置。
【請求項２】
吊りボルトを引っ掛ける吊り金具が側面に突出した天井埋込型空気調和機のユニット本体を備え、このユニット本体の側面に段ボール製の緩衝部材を宛い、かつこのユニット本体の底部及び天部に、それぞれ段ボール製の箱形外装体を配置し、これら箱形外装体間を、複数のバンドでユニット本体並びに緩衝部材ごと結束してなる梱包装置において、
前記緩衝部材が略コ字状に形成され、その両側部分には、前記ユニット本体の吊り金具の突出する面に宛われて、当該吊り金具の突出寸法より大きい寸法を有する一対の中空緩衝部を備え、
各中空緩衝部には、前記緩衝部材をユニット本体の側面に宛う際に、前記吊り金具を中空部内に導くスリットが形成され、
前記中空緩衝部には、吊り金具の下面にほぼ接するように、中空部内に折り曲げられる折り曲げ片体が形成されている
ことを特徴とする梱包装置。
【請求項３】
前記折り曲げ片体の上辺が中空緩衝部にヒンジ連結されており、この折り曲げ片体が、前記中空部内に折り曲げられた折り曲げ位置と、折り曲げる以前の復元位置との間で変位自在に構成されていることを特徴とする請求項２記載の梱包装置。
【発明の詳細な説明】
【０００１】
【発明の属する技術分野】
本発明は、例えば、天井埋込型空気調和機のユニット本体を梱包するための梱包装置に関する。
【０００２】
【従来の技術】
一般に、室内側熱交換器、ファンなどを収納するユニット本体を有する天井埋込型空気調和機が知られている。
【０００３】
従来、このユニット本体の側面に段ボール製の緩衝部材を宛い、かつこのユニット本体の底部及び天部に、それぞれ段ボール製の箱形外装体を配置し、これら箱形外装体間を、複数のＰＰバンドでユニット本体並びに緩衝部材ごと結束してなる梱包装置が提案されている（例えば、特許文献１。）。
【０００４】
【特許文献１】
特開平９−４２７５７号公報（図５）
【０００５】
【発明が解決しようとする課題】
しかし、従来の構成では、吊りボルトを引っ掛ける吊り金具が、ユニット本体の側面から突出している場合、この吊り金具を如何に避けてユニット本体の側面に緩衝部材を宛うかが問題となっている。また、この種のものでは、梱包された被梱包体を持ち上げる場合、その取っ手が必要になり、従来、この取っ手を梱包部材の如何なる部位に設けるかが問題となっている。
【０００６】
そこで、本発明の目的は、上述した従来の技術が有する課題を解消し、側面の突出体を避けて、被梱包体の側面に上手く緩衝部材を宛うことができ、また、梱包された被梱包体を持ち上げる場合の取っ手を梱包部材に効率よく設けることができる梱包装置を提供することにある。
【０００７】
【課題を解決するための手段】
上記目的を達成するために、請求項１記載の発明は、側面に突出体を備えた被梱包体を段ボール製の梱包部材によって梱包した梱包装置において、前記梱包部材には、突出体の下面にほぼ接するように、被梱包体側に折り曲げられる折り曲げ片体が形成され、この折り曲げ片体の上辺がヒンジ連結されており、この折り曲げ片体が、被梱包体側に折り曲げられた折り曲げ位置と、折り曲げる以前の復元位置との間で変位自在に構成されていることを特徴とする。
【０００８】
請求項２記載の発明は、吊りボルトを引っ掛ける吊り金具が側面に突出した天井埋込型空気調和機のユニット本体を備え、このユニット本体の側面に段ボール製の緩衝部材を宛い、かつこのユニット本体の底部及び天部に、それぞれ段ボール製の箱形外装体を配置し、これら箱形外装体間を、複数のバンドでユニット本体並びに緩衝部材ごと結束してなる梱包装置において、前記緩衝部材が略コ字状に形成され、その両側部分には、前記ユニット本体の吊り金具の突出する面に宛われて、当該吊り金具の突出寸法より大きい寸法を有する一対の中空緩衝部を備え、各中空緩衝部には、前記緩衝部材をユニット本体の側面に宛う際に、前記吊り金具を中空部内に導くスリットが形成され、前記中空緩衝部には、吊り金具の下面にほぼ接するように、中空部内に折り曲げられる折り曲げ片体が形成されていることを特徴とする。
【０００９】
請求項３記載の発明は、請求項２記載のものにおいて、前記折り曲げ片体の上辺が中空緩衝部にヒンジ連結されており、この折り曲げ片体が、前記中空部内に折り曲げられた折り曲げ位置と、折り曲げる以前の復元位置との間で変位自在に構成されていることを特徴とする。
【００１０】
【発明の実施の形態】
以下、本発明の一実施形態を添付図面に従って説明する。
【００１１】
図１において、１０は天井埋込型空気調和機を示し、この空気調和機１０は、図示のように、建屋の天井裏に吊り下げ支持されている。
【００１２】
建屋からは４本のボルト４２が垂直下方に延出されており、これらのボルト４２は、ユニット本体２２の側面に固定された吊り金具４４に連結され、このボルト４２には、それぞれナット４３が螺合されている。
【００１３】
このユニット本体２２の下面には、吸込口１６が開口し、この吸込口１６の奧側には、シロッコファン２６が設置されている。
【００１４】
このシロッコファン２６は、駆動されて回転すると、その両側の開口部２６Ａから空気を吸い込み、この吸い込み空気を、ユニット本体２２の仕切り壁２７に形成された吹出し口（図示せず）側に送り出す。この仕切り壁２７の内側には、同じく図示を省略した熱交換器が配置され、シロッコファン２６から送り出された空気は、この熱交換器で熱交換された後、ユニット本体２２の側面に形成された吹出し口２８から外に吹き出される。
【００１５】
この吹出し口２８には、一般に、送気ダクト（図示せず）が接続され、この送気ダクトを通じて被調和室に送気される。なお、上述した熱交換器には冷媒配管２９，３０がつながれ、この熱交換器には冷媒配管２９，３０を通じて図示しない室外機から冷媒が供給されている。
【００１６】
このユニット本体（被梱包体）２２は、図２に示すように、梱包装置１００を用いて梱包されている。この梱包装置１００は、ユニット本体２２の底部に配置される段ボール製の箱形外装体１０１と、ユニット本体２２の天部に配置される段ボール製の箱形外装体１０２と、ユニット本体２２の側面に宛われ、当該ユニット本体２２の高さと略同一高さを有する一対の段ボール製の緩衝部材１０３とを備え、箱形外装体１０１，１０２間を、複数のＰＰバンドを用いて、ユニット本体２２並びに一対の緩衝部材１０３ごと結束して構成される。尚、ユニット本体２２はポリエチレン袋（図示せず）で覆われる。
【００１７】
本実施形態では、緩衝部材１０３が略コ字状に形成され、この緩衝部材１０３の平板部１０３Ａの両側部分には、一対の中空緩衝部１０３Ｂがそれぞれ形成されている。各中空緩衝部１０３Ｂは、その内面１０３Ｃが、ユニット本体２２の吊り金具４４の突出する面に宛われて配置される。一対の中空緩衝部１０３Ｂの巾寸法Ｗは、当該吊り金具４４並びに冷媒配管２９，３０等の突出寸法Ｈより大きい巾寸法を有して構成される。また、各中空緩衝部１０３Ｂには、当該緩衝部材１０３をユニット本体２２の側面に宛う際に、吊り金具４４を中空部１０３Ｄ内に導くスリット１０３Ｅが形成されている。
【００１８】
図３は、緩衝部材１０３を、ユニット本体２２の側面に宛がった後の状態を示す図である。この緩衝部材１０３が、図３に示すように、矢印Ａで示す方向に押し込まれると、スリット１０３Ｅを通じて、吊り金具４４が、中空緩衝部１０３Ｂの中空部１０３Ｄ内に導かれる。
【００１９】
これによれば、各中空緩衝部１０３Ｂの内面１０３Ｃが、ユニット本体２２の吊り金具４４の突出する側面にぴったりと接触するため、梱包強度が増し、しかも、梱包サイズが小型化される。
【００２０】
また、中空緩衝部１０３Ｂには、吊り金具４４の下面にほぼ接するように、中空部１０３Ｄ内に折り曲げられる折り曲げ片体１０３Ｆが形成されている。この折り曲げ片体１０３Ｆは、その上辺１０３Ｇが、中空緩衝部１０３Ｂにヒンジ連結されており、下辺のほぼ中央部には、つまみ用の突片１０３Ｈが一体形成されている。この折り曲げ片体１０３Ｆは、中空部１０３Ｄ内に折り曲げられた折り曲げ位置Ｘと、折り曲げる以前の復元位置Ｙとの間で、自由な位置に変位自在に構成されている。折り曲げ位置Ｘでは、上記のように、この折り曲げ片体１０３Ｆが、吊り金具４４の下面にほぼ接している。
【００２１】
上記構成では、ユニット本体２２を梱包した後、折り曲げ片体１０３Ｆを、吊り金具４４の下面にほぼ接するように、中空緩衝部１０３Ｂの中空部１０３Ｄ内に折り曲げる。この構成によると、折り曲げ片体１０３Ｆを折り曲げた後の取っ手用開口に手を差し込めば、従来のように余分な取っ手等を設けることなく、折り曲げ片体１０３Ｆが接触する吊り金具４４を取っ手として、このユニット本体２２を持ち運ぶことが可能になる。また、ユニット本体２２を持ち運びしない場合、突片１０３Ｈをつかんで、折り曲げ片体１０３Ｆを、復元位置Ｙに戻せば、取っ手用開口を塞ぐことができるため、例えば、中空部１０３Ｄ内への塵埃等の侵入を防止することができる。
【００２２】
図４は、緩衝部材１０３の折り畳み手順を示す。
【００２３】
緩衝部材１０３は、厚さが略５ｍｍの一枚の段ボール紙を、左右対称に折り畳んで形成される。この場合、段ボール紙１１０の段ボール目は、図示のようにＸ方向に延びている。段ボール紙１１０は、各破線部Ａ，Ｂ，Ｃ，Ｄを、それぞれ山にして折り曲げられ、これによって、中空緩衝部１０３Ｂの一応の形が整えられる。ついで、破線部Ｅ，Ｆをそれぞれ山にして折り曲げられ、破線部Ｅ側の爪部Ｇを、破線部Ｆ側の孔Ｈに嵌合し、中空緩衝部１０３Ｂの形を整え、これによって緩衝部材１０３が製作される。上記構成では、緩衝部材１０３を、一枚の段ボール紙を折り畳んで形成したため、ステープル等を用いることなく、簡単に組み立てることができる。
【００２４】
【発明の効果】
以上説明したように、本発明では、側面の突出体を避けて、被梱包体の側面に上手く緩衝部材を宛うことができ、また、梱包された被梱包体を持ち上げる場合の取っ手を、梱包部材に効率よく設けることができる。
【図面の簡単な説明】
【図１】空気調和装置を示す斜視図である。
【図２】本発明の梱包装置の分解斜視図である。
【図３】ユニット本体の側面に緩衝部材を宛がった後の状態を示す図である。
【図４】緩衝部材の組み立て手順を示す図である。
【符号の説明】
１０  空気調和機
２２  ユニット本体（被梱包体）
４４  吊り金具
１００  梱包装置
１０１  箱形外装体
１０２  箱形外装体
１０３  緩衝部材
１０３Ｂ  中空緩衝部
１０３Ｄ  中空部
１０３Ｅ  スリット
１０３Ｆ  折り曲げ片体
１０３Ｇ  上辺
【図１】
2004161361.tif 000003
【図２】
2004161361.tif 000004
【図３】
2004161361.tif 000005
【図４】
2004161361.tif 000006